【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
第１面と前記第１面とは反対側にある第２面とを有する第１構造体であって、前記第１面及び前記第２面は、前記第１構造体の第１端部から、前記第１構造体の第１端部とは反対側にある前記第１構造体の第２端部へと延びている、第１構造体と、
前記第１構造体に取り付けられる第１傾動機構であって、前記第１傾動機構は、前記第１構造体が第１位置から第２位置まで回転可能となるような寸法及び形状にされており、前記第１構造体の第１端部は、前記第１構造体が第１位置にある場合、第１高さにあり、前記第１構造体の第１端部は、前記第１構造体が第２位置にある場合、前記第１高さよりも高い第２高さにある、第１傾動機構と、
第１位置から第２位置まで移動可能である第１脚と、
前記第１脚と前記第１傾動機構の間に取り付けられる第１脚回転機構であって、前記第１構造体の第１位置から前記第１構造体の第２位置まで前記第１構造体が回転すると、前記第１脚の第１位置から前記第１脚の第２位置まで前記第１脚を回転させる第１脚回転機構と、
第１位置から第２位置まで移動可能である第２脚と、
前記第１構造体に取り付けられる第２傾動機構であって、前記第１構造体が第１位置から第２位置まで回転可能となるような寸法及び形状とされている第２傾動機構と、
前記第２脚と前記第２傾動機構の間に取り付けられる第２脚回転機構であって、前記第１構造体の第１位置から第１構造体の第２位置まで前記第１構造体が回転すると、前記第２脚の第１位置から前記第２脚の第２位置まで前記第２脚を回転させる第２脚回転機構と、
前記第１脚に連結される少なくとも１つの第１足部と、
前記第２脚に連結される少なくとも１つの第２足部と、
を備えており、
前記第１傾動機構は、前記第１脚と前記第１傾動機構の間に配置される第１キャリッジを備えており、前記第１キャリッジは、前記第１構造体の第１位置から前記第１構造体の第２位置まで前記第１構造体が水平軸回りに回転できるように前記第１構造体に連結されており、
前記第１脚回転機構は、第１部材と、第１アームと、前記第１脚回転機構を前記第１脚に連結する第１脚連結体とを備えており、前記第１部材は、前記第１傾動機構の一部に連結される第１端部と、前記第１アームに取り付けられる第２端部とを有しており、前記第１部材の第１端部は、前記第１構造体の第１位置から前記第１構造体の第２位置まで前記第１構造体が移動すると前記第１部材が動くように前記第１傾動機構に連結されており、前記第１部材の動きによって、前記第１アームが動いて前記第１脚連結体の回転を起こすことで、前記第１脚が回転して、前記少なくとも１つの第１足部が第１位置から第２位置まで回転し、
テーブル又は椅子であって、前記第１構造体は天板又は座部である、家具。
【請求項２】
前記第２傾動機構は、前記第２脚と前記第２傾動機構の間に配置される第２キャリッジを含んでおり、前記第２キャリッジは、前記第１構造体の第１位置から前記第１構造体の第２位置まで前記第１構造体が前記水平軸回りに回転できるように前記第１構造体に連結されており、
前記第２脚回転機構は、第２部材と、第２アームと、前記第２脚回転機構を前記第２脚に連結する第２脚連結体とを備えており、前記第２部材は、前記第２傾動機構の一部に連結される第１端部と、前記第２アームに取り付けられる第２端部とを有しており、前記第２部材の第１端部は、前記第１構造体の第１位置から前記第１構造体の第２位置まで前記第１構造体が移動すると前記第２部材が動くように前記第２傾動機構に連結されており、前記第２部材の動きによって、前記第２アームが動いて前記第２脚連結体の回転を起こすことで、前記第２脚が回転して、前記少なくとも１つの第２足部が第１位置から第２位置まで回転する、請求項１に記載の家具。
【請求項３】
前記第１傾動機構は、第１連結部材と、前記第１連結部材に連結される第１シャフトとを備えており、前記第１シャフトは更に、前記第１連結部材が前記第１シャフト回りで回転可能なように前記第１キャリッジに連結されており、
前記第２傾動機構は、第２連結部材と、前記第２連結部材に連結される第２シャフトとを備えており、前記第２シャフトは更に、前記第２連結部材が前記第２シャフト回りで回転可能なように前記第２キャリッジに連結されており、
前記第１連結部材は、前記第１構造体の第１面に取り付けられており、前記第２連結部材は、前記第１構造体の第１面に取り付けられており、
前記第１連結部材及び前記第２連結部材は、前記第１構造体の第１位置から前記第１構造体の第２位置まで前記第１構造体が回転できるように、前記第１構造体を第１傾動機構及び前記第２傾動機構に連結しており、前記第１シャフト及び前記第２シャフトは軸を規定し、前記第１構造体はその軸回りで回転可能である、請求項２に記載の家具。
【請求項４】
前記第１脚回転機構の第１部材は、前記第１連結部材付近から前記第１アーム付近に延びており、前記第２脚回転機構の第２部材は、前記第２連結部材付近から前記第２アーム付近に延びている、請求項３に記載の家具。
【請求項５】
前記第１脚と前記第２脚の間に延びるクロス部材を備えており、前記第１アームは、前記クロス部材の第１端部内に配置され、前記第２アームは、前記クロス部材の第１端部とは反対側にある前記クロス部材の第２端部内に配置され、前記第１キャリッジは、前記第１アームが前記第１キャリッジの下側に位置するように前記クロス部材に取り付けられ、前記前記第２キャリッジは、前記第２アームが前記第２キャリッジの下側に位置するように前記クロス部材に取り付けられる、請求項３に記載の家具。
【請求項６】
前記第１脚回転機構は更に、前記第１アームの遠位端に取り付けられる第１ピンと、前記第１ピンから前記第１部材の第２端部まで延びる第１要素とを備えており、
前記第２脚回転機構は更に、前記第２アームの遠位端に取り付けられる第２ピンと、前記第２ピンから前記第２部材の第２端部まで延びる第２要素とを備えている、請求項５に記載の家具。
【請求項７】
前記第１ピンは、前記第１アームの遠位端に回転可能に連結され、前記第２ピンは、前記第２アームの遠位端に回転可能に連結される、請求項６に記載の家具。
【請求項８】
前記第１要素は、前記第１ピン及び前記第１部材の第２端部に摺動可能に連結され、前記第２要素は、前記第２ピン及び第２部材の第２端部に摺動可能に連結される、請求項７に記載の家具。
【請求項９】
前記第１脚回転機構は更に、前記第１アームの一部を通って延びる第１軸体を備えており、前記第１アームの遠位端の動きが前記第１アームの前記第１軸体回りの回転をもたらして、前記第１脚連結体を回転させるように、前記第１アームは前記第１軸体回りで回転可能であり、
前記第２脚回転機構は更に、前記第２アームの一部を通って延びる第２軸体を備えており、前記第２アームの遠位端の動きが前記第２アームの前記第２軸体回りの回転をもたらして、前記第２脚連結体を回転させるように、前記第２アームは前記第２軸体回りで回転可能である、請求項８に記載の家具。
【請求項１０】
前記少なくとも１つの第１足部は、第１前足部及び第１後足部を備えており、前記少なくとも１つの第２足部は、第２後足部及び第２前足部を備えており、
前記第１前足部が前記第１前足部の第２位置にあって、前記第２前足部が前記第２前足部の第２位置にある場合、前記第１前足部が前記第１前足部の第１位置にあって、前記第２前足部が前記第２前足部の第１位置にある場合と比較して、前記第１前足部と前記第２前足部はより離れており、
前記第１後足部が前記第１後足部の第２位置にあって、前記第２後足部が前記第２後足部の第２位置にある場合、前記第１後足部が前記第１後足部の第１位置にあって、前記第２後足部が前記第２後足部の第１位置にある場合と比較して、前記第１後足部と前記第２後足部はより接近している、請求項９に記載の家具。
【請求項１１】
テーブルを積み重ねる方法であって、
複数のテーブルを提供する工程であって、各テーブルは請求項１に記載の家具である、工程と、
各テーブルの第１構造体を前記第１位置から前記第２位置まで移動させることで、前記第１脚の第１位置から前記第１脚の第２位置まで前記第１脚を移動させる工程と、
前記複数のテーブルを互いに近接して重ねる工程と、
を含む方法。
【請求項１２】
第１面と、前記第１面とは反対側にある第２面とを有する天板であって、前記第１面及び前記第２面は、前記天板の第１端部から前記天板の第１端部とは反対側にある前記天板の第２端部まで延びている、天板と、
前記天板に取り付けられる第１傾動機構であって、前記第１傾動機構は、前記第１天板が第１位置から第２位置まで回転可能となるような寸法及び形状にされており、前記天板が前記第１位置にある場合、前記天板の第１端部は第１高さにあり、前記天板が第２位置にある場合、前記天板の第２端部は第２高さにあり、前記第２高さは、前記第１高さよりも高い、第１傾動機構と、
前記第１傾動機構に取り付けられる第１脚であって、前記第１脚は、前記第１脚と前記第１傾動機構の間に取り付けられる第１脚回転機構によって、前記第１傾動機構に取り付けられており、前記天板の第１位置から前記天板の第２位置まで前記天板が移動すると、前記第１脚が第１位置から第２位置まで移動可能なように、前記第１脚回転機構は前記第１脚と前記第１傾動機構の間に取り付けられている、第１脚と、
第１位置から第２位置まで移動可能である第２脚と、
前記天板に取り付けられる第２傾動機構であって、前記天板が前記第１位置から前記第２位置まで回転可能となるような寸法及び形状にされている第２傾動機構と、
前記第２脚と前記第２傾動機構の間に取り付けられる第２脚回転機構であって、前記天板の第１位置から前記天板の第２位置まで前記天板が回転すると、前記第２脚の第１位置から前記第２脚の第２位置まで前記第２脚を回転させるように構成されている第２脚回転機構と、
を備えており、
前記第１傾動機構は、
前記第１脚と前記第１傾動機構の間に配置される第１キャリッジと、
前記天板の第１面に取り付けられて、前記第１キャリッジに回転可能に連結される第１連結部材と、
前記第１連結部材に取り付けられる第１シャフトと、
を備えており、
前記第２傾動機構は、
前記第２脚と前記第２傾動機構の間に配置される第２キャリッジと、
前記天板の第１面に取り付けられて、前記第２キャリッジに回転可能に連結される第２連結部材と、
前記第２連結部材に取り付けられる第２シャフトと、
を備えており、
前記第１脚回転機構は、
前記第１シャフトに連結される第１端部と、前記第１部材の第１端部とは反対側にある第２端部とを有する第１部材と、
前記第１アームと、
前記第１アームの遠位端に回転可能に取り付けられる第１ピンと、
前記第１部材の第２端部内で移動可能に配置できるように、前記第１ピンから前記第１部材の第２端部内まで延びる第１要素と、
前記第１アームを前記第１脚に連結する第１脚連結体と、
前記第１アームの一部を通って延びる第１軸体であって、前記第１アームは前記第１軸体回りで回転可能であり、前記第１アームの遠位端が移動することによって、前記第１アームが前記第１軸体回りで回転し、さらに、前記第１脚連結体が動いて前記第１脚の第１位置から前記第１脚の第２位置まで前記第１脚を回転させる、第１軸体と、
を備えており、
前記第２脚回転機構は、
前記第２シャフトに連結される第１端部と、前記第２部材の第１端部とは反対側にある第２端部とを有する第２部材と、
第２アームと、
前記第２アームの遠位端に回転可能に取り付けられる第２ピンと、
前記第２部材の第２端部内で移動可能に配置できるように、前記第２ピンから前記第２部材の第２端部内まで延びる第２要素と、
前記第２アームを前記第２脚に連結する第２脚連結体と、
前記第２アームの一部を通って延びる第２軸体であって、前記第２アームは第２軸体回りで回転可能であり、前記第２アームの遠位端が移動することによって、前記第２アームが前記第２軸体回りで回転し、さらに、前記第２脚連結体が回転して前記第２脚の第１位置から前記第２脚の第２位置まで前記第２脚が回転する、第２軸体と、
を備えており、
前記第１シャフト及び前記第２シャフトは軸を規定し、前記天板は、前記第１位置から前記第２位置まで動く場合にその軸回りで回転可能であり、
前記第１脚回転機構の第１部材の第１端部は、前記天板の第１位置から前記天板の第２位置まで前記天板が移動する間回転し、前記第１部材の第１端部の回転によって、前記第１要素が前記第１部材の第２端部内で移動し、前記第１ピンが前記第１アームの遠位端に対して回転し、さらには、前記第１ピンが動いて前記第１軸体回りの前記第１アームの回転を起こすことで、前記第１脚連結体が動いて、前記第１脚の第１位置から前記第１脚の第２位置まで前記第１脚を回転させ、
前記第２脚回転機構の第２部材の第１端部は、前記天板の第１位置から前記天板の第２位置まで前記天板が移動する間回転し、前記第２部材の第１端部の回転によって、前記第２要素は前記第２部材の第２端部内で移動し、前記第２ピンが前記第２アームの遠位端に対して回転し、さらには、前記第２ピンが動いて前記第２軸体回りの前記第２アームの回転を起こすことで、前記第２脚連結体が動いて、前記第２脚の第１位置から前記第２脚の第２位置まで前記第２脚を回転させる、家具。
【請求項１３】
前記第１脚と前記第２脚の間に延びるクロス部材を更に備えており、前記第１アームは、前記クロス部材の第１端部内に配置され、前記第２アームは、前記クロス部材の第１端部とは反対側にある前記クロス部材の第２端部内に配置され、前記第１キャリッジは、前記第１アームが前記第１キャリッジの下側に位置するように前記クロス部材に取り付けられ、前記第２キャリッジは、前記第２アームが前記第２キャリッジの下側に位置するように前記クロス部材に取り付けされる、請求項１２に記載の家具。
【請求項１４】
前記第１脚に連結される第１前足部及び第１後足部と、前記第２脚に連結される第２前足部及び第２後足部とを備えており、
前記第１前足部及び前記第２前足部は、前記第１脚及び前記第２脚がそれらの第１位置から第２位置へ動くと、互いに離れ、
前記第１後足部及び前記第２後足部は、前記第１脚及び前記第２脚がそれらの第１位置から第２位置へ動くと、移動して互いに接近する、請求項１２又は請求項１３に記載の家具。
【請求項１５】
前記第１脚回転機構の第１部材は更に、前記第１脚回転機構の第１部材の第１端部と第２端部の間に延びる中間部材を有しており、前記第１部材は、略Ｌ字型部材、略Ｃ字型部材、略Ｕ字型部材、又は略Ｖ字型部材であり、
前記第２脚回転機構の第２部材は更に、前記第２脚回転機構の第２部材の第１端部と第２端部の間に延びる中間部材を有してよく、前記第２部材は、略Ｌ字型部材、略Ｃ字型部材、略Ｕ字型部材、又は略Ｖ字型部材であり、
前記第１要素は、ロッド、直線状に延びる部材、ピン、又はシャフトであり、前記第２要素は、ロッド、直線状に延びる部材、ピン、又はシャフトであり、
前記第１シャフトは直線状に延びる部材であり、前記第２シャフトは直線状に延びる部材である、請求項１３に記載の家具。